Podtech/llm-jp-corpus-v4-ja_patent huggingface dataset:
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
絵柄の表示を行う絵柄表示装置と、
前記絵柄表示装置による絵柄表示の制御を実施する絵柄表示制御装置と、
音声装置や発光装置等からなる補助演出装置と、
前記補助演出装置による補助演出の制御を実施する補助演出制御装置とを備え、
前記絵柄表示制御装置と前記補助演出制御装置とのうち、一方を第１制御装置、他方を第２制御装置とし、第１制御装置が、毎回の遊技開始時に第２制御装置に対してその都度の遊技演出内容を包括的に示す遊技演出制御指令を送信する構成とした遊技機において、
前記第１制御装置は、前記絵柄表示装置における絵柄変動が所定の変動となるタイミングで、前記遊技演出制御指令とは別に、前記第２制御装置にとって制御上無効な実射試験用の試験制御信号を前記第２制御装置へ送信することを特徴とする遊技機。
【請求項２】
前記絵柄表示装置における絵柄の変動態様としてリーチ変動を設けた構成において、前記リーチ変動が開始されるタイミングで、前記第１制御装置が前記試験制御信号を送信することを特徴とする請求項１に記載の遊技機。
【請求項３】
請求項１又は２のいずれかの遊技機を用いた実射試験方法であって、
前記第１制御装置に実射試験装置を接続した状態で前記第１制御装置が前記実射試験装置に前記試験制御信号を送信し、実射試験装置は該試験制御信号に従って一時的に遊技球の発射を停止することを特徴とする遊技機の実射試験方法。
【請求項４】
前記第１制御装置に対して前記第２制御装置と前記実射試験装置とを試験用信号線部材で接続し、前記第１制御装置は前記試験用信号線部材を介して前記第２制御装置と前記実射試験装置にそれぞれ前記遊技演出制御指令と前記試験制御信号とを送信し、前記第２制御装置は前記遊技演出制御指令を受信することで遊技演出の制御を実施し、前記実射試験装置は前記試験制御信号に従って一時的に遊技球の発射を停止する、請求項３に記載の遊技機の実射試験方法。
【手続補正２】
【補正対象書類名】明細書
【補正対象項目名】発明の名称
【補正方法】変更
【補正の内容】
【発明の名称】遊技機及びその実射試験方法
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
シリコン基板上に設けたレジスト樹脂を電子ビーム描画及び現像によって三次元形状に形成し、該三次元形状に形成されたレジスト樹脂をマスクとして前記シリコン基板をドライエッチングすることを特徴とするシリコン基板加工方法。
【請求項２】
シリコン基板上に設けたレジスト樹脂を電子ビーム描画及び現像によって三次元形状に形成し、該三次元形状に形成されたレジスト樹脂をマスクとして該三次元形状に形成されたレジスト樹脂が全てなくなるまで前記シリコン基板をドライエッチングにより加工することで、前記三次元形状をシリコン基板に転写することを特徴とするシリコン基板加工方法。
【請求項３】
前記ドライエッチングにおいてＦ系ガスまたはＦ系ガスと酸素の混合ガスを用い、
前記レジストマスクがなくなってから前記ドライエッチングを更に行うことで前記シリコン基板の表面をフッ素化する請求項２に記載のシリコン基板加工方法。
【請求項４】
異方性ドライエッチングにより前記ドライエッチングを行い、前記シリコン基板に形成される三次元形状のパターン高さの微調整は前記レジストマスクと前記シリコン基板との選択比を制御することで行われる請求項１乃至３のいずれか１項に記載のシリコン基板加工方法。
【請求項５】
前記ドライエッチングをプラズマエッチングで行う際のプラズマ中の電子温度は６〜１５ｅＶの範囲内であり、プラズマ密度は１０8〜１０11ｃｍ-3の範囲内であり、ガス封入圧力は１Ｐａ未満である請求項１乃至４のいずれか１項に記載のシリコン基板加工方法。
【請求項６】
前記ドライエッチングは誘導結合プラズマ（ＩＣＰ）を用い、前記選択比の最終的な微調整は、前記シリコン基板に印加する高周波電圧またはバイアス電圧のみを調整することで行う請求項４に記載のシリコン基板加工方法。
【請求項７】
前記シリコン基板に形成される三次元形状の側壁保護のために前記ドライエッチングのときＨＢｒとＯ2を添加する請求項３乃至６のいずれか１項に記載のシリコン基板加工方法。
【請求項８】
側壁保護効果を有する成膜プロセスと前記ドライエッチングとを交互に行う請求項３乃至６のいずれか１項に記載のシリコン基板加工方法。
【請求項９】
前記ドライエッチングで寸法及び特徴が異なる形状を同一のシリコン基板上に同時に加工する請求項３乃至８のいずれか１項に記載のシリコン基板加工方法。
【請求項１０】
請求項１乃至９のいずれか１項に記載のシリコン基板加工方法により加工されたシリコン基板から構成された光学素子用金型母型。
【請求項１１】
請求項１乃至９のいずれか１項に記載のシリコン基板加工方法により加工されたシリコン基板から構成された光学素子用金型。
【請求項１２】
請求項１０に記載の光学素子用金型母型を用いて加工された光学素子用金型。
【請求項１３】
請求項１１または１２に記載の金型を用いて加工された光学素子。
【請求項１４】
請求項１１または１２に記載の金型を用いて加工された光通信波長帯域用エシェロン構造型の回折格子。
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
多数本の釘が板状に連結された連結釘を収容できるように形成され、連結釘の先頭釘をノーズの打込通路に送るよう、ノーズに連結されたマガジンベースと、マガジンベースとの間に連結釘を収容可能な空間を形成し、連結釘を収容した閉じ位置と、連結釘を装填可能な開放位置との間で、マガジンベースにスライド可能に取付けられたマガジンカバーと、マガジンカバーの内側に設けられ、マガジンベースのベース面に向けて摺動可能で、連結釘の釘頭又は釘軸部の側面を押えるように配設された少なくとも１本以上の細長いガイドバーと、マガジンカバー内に設けられ、ガイドバーをマガジンベース側に付勢する付勢手段とを備え、前記マガジンカバーが前記閉じ位置にある時、ガイドバーの先端が連結釘の先頭釘の次以降の釘頭又は釘軸部を押えるようマガジンカバーより長手方向前方に突出するようにしたマガジンユニットを有する釘打機であって、
前記ガイドバーは、マガジンカバー内で釘送り方向に摺動可能とし、マガジンカバー後方の付勢手段により、常にはノーズの方向に付勢され、マガジンカバーが開位置に開く時、ガイドバー先端側がマガジンカバー前面よりノーズ側に突出すると共にガイドバー先端部の凸部がマガジンカバーのテーパ面を乗り上げてマガジンカバー先端部の係合部と係合可能とし、ガイドバー先端側がマガジンベースのベース面から隙間を保つよう後退することで、マガジンカバーを閉じ位置に前進する時に、ガイドバー先端がマガジンベースとの間に隙間を保って前進し、マガジンベースにある連結釘の後端釘の軸部を乗り越えることができ、マガジンカバーが完全に閉じる時には、ガイドバーの当接面がノーズのマガジンカバー突当面に当接して相対的に後退すると同時に、ガイドバー先端部の凸部がマガジンカバー先端部の係合部から外れて、マガジンベースのベース面側に突出するようにしたマガジンユニットを有することを特徴とする釘打機。
【手続補正２】
【補正対象書類名】明細書
【補正対象項目名】発明の名称
【補正方法】変更
【補正の内容】
【発明の名称】マガジンユニットを有する釘打機
【手続補正３】
【補正対象書類名】明細書
【補正対象項目名】０００１
【補正方法】変更
【補正の内容】
【０００１】
本発明は、多数本の釘が並列に板状に連結された連結釘を打込むマガジンユニットを有する釘打機に関するものである。
【手続補正４】
【補正対象書類名】明細書
【補正対象項目名】０００６
【補正方法】変更
【補正の内容】
【０００６】
本発明の目的は、上記従来の欠点を解消し、ピン釘などの太さ０．６ミリの細い釘で、連結本数が少ない連結釘が装填された場合でも、釘を装填してマガジンカバーを閉じる場合に、釘頭を押えるガイドバーの先端部が連結釘の後尾に引っ掛かるのを防止すると共に先頭釘の次の位置にある２番目の釘の頭部を十分に押えることが可能で、ノーズ内の打込通路内での釘の詰まりを防止ししたマガジンユニットを有する釘打機を提供することである。
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
熱硬化性樹脂層の両面にそれぞれ保護フィルムシートが剥離可能に仮貼付けされてなる熱硬化性樹脂シートを所要の形状に切断加工する方法であって、
回転刃またはレーザ光を、相互に圧着すべきワークに対応した所要形状に沿って移動させ、前記回転刃の回転により発生する摩擦熱または前記レーザ光の吸収による加熱により、前記熱硬化性樹脂シートを切断することを特徴とする熱硬化性樹脂シートの切断加工方法。
【請求項２】
熱硬化性樹脂層の両面にそれぞれ保護フィルムシートが剥離可能に仮貼付けされてなる熱硬化性樹脂シートを所要の形状に切断加工する方法であって、
相互に圧着すべきワークに対応した所要形状の切断刃を先端部に備えた切断型を、前記切断刃を所定温度に加熱した状態で前記熱硬化性樹脂シートに押しつけることにより、前記切断刃で前記熱硬化性樹脂シートを切断することを特徴とする熱硬化性樹脂シートの切断加工方法。
【請求項３】
熱硬化性樹脂層における熱硬化性樹脂層の切断面を、熱硬化性樹脂層が最低粘度となる最低粘度到達温度を超えたのちに常温時の粘度と同粘度に達する温度以上で、且つ前記熱硬化性樹脂層が硬化し始めるガラス転移温度以下の温度範囲に保持し、前記熱硬化性樹脂層を切断するようにした請求項１または２に記載の熱硬化性樹脂シートの切断加工方法。
【請求項４】
熱硬化性樹脂シートの一面側から、一方の保護フィルムシートおよび熱硬化性樹脂層を切断したのち、他方の保護フィルムに対しこれの厚みの１／４以上で、且つ３／４以下に達する深さ位置まで切断するようにした請求項１ないし３の何れか一項に記載の熱硬化性樹脂シートの切断加工方法。
【請求項５】
熱硬化性樹脂シートの一面側から、一方の保護フィルムシートおよび熱硬化性樹脂層を切断したのち、他方の保護フィルムに対しこれの厚みの１／４以上で、且つ１／２以下に達する深さ位置まで切断する部分と、前記他方の保護フィルムに対しこれの厚みの１／２以上で、且つ３／４以下に達する深さ位置まで切断する部分との段差部を切断先端部に設けるようにした請求項１ないし３の何れか一項に記載の熱硬化性樹脂シートの切断加工方法。
【請求項６】
熱硬化性樹脂シートの切断面を、前記熱硬化性樹脂シートの厚み方向に対し１度以上で、且つ４５度以下の角度で外方へ下り勾配に傾斜する傾斜面に形成するようにした請求項１ないし５の何れか一項に記載の熱硬化性樹脂シートの切断加工方法。
【手続補正２】
【補正対象書類名】明細書
【補正対象項目名】００１０
【補正方法】変更
【補正の内容】
【００１０】
前記目的を達成するために、請求項１に係る発明の熱硬化性樹脂シートの切断加工方法は、熱硬化性樹脂層の両面にそれぞれ保護フィルムシートが剥離可能に仮貼付けされてなる熱硬化性樹脂シートを所要の形状に切断加工する方法であって、回転刃またはレーザ光を、相互に圧着すべきワークに対応した所要形状に沿って移動させ、前記回転刃の回転により発生する摩擦熱または前記レーザ光の吸収による加熱により、前記熱硬化性樹脂シートを切断することを特徴としている。
【手続補正３】
【補正対象書類名】明細書
【補正対象項目名】００１２
【補正方法】変更
【補正の内容】
【００１２】
請求項３に係る発明は、請求項１または２の発明の熱硬化性樹脂シートの切断加工方法において、熱硬化性樹脂層における熱硬化性樹脂層の切断面を、熱硬化性樹脂層が最低粘度となる最低粘度到達温度を超えたのちに常温時の粘度と同粘度に達する温度以上で、且つ前記熱硬化性樹脂層が硬化し始めるガラス転移温度以下の温度範囲に保持し、前記熱硬化性樹脂層を切断するようにした。
【手続補正４】
【補正対象書類名】明細書
【補正対象項目名】００１５
【補正方法】変更
【補正の内容】
【００１５】
請求項６に係る発明は、請求項１ないし５の何れか一項の発明の熱硬化性樹脂シートの切断加工方法において、熱硬化性樹脂シートの切断面を、前記熱硬化性樹脂シートの厚み方向に対し１度以上で、且つ４５度以下の角度で外方へ下り勾配に傾斜する傾斜面に形成するようにした。
【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】
基板ボックス内に封印されると共に遊技の制御を行う遊技制御手段と、
少なくとも複数種類の図柄を表示画面に変動表示可能な表示手段と、
該表示手段を前記遊技制御手段により出力される制御データによって制御する表示制御手段とを備え、
前記遊技制御手段は、前記表示制御手段に前記制御データを出力するとともに、該制御データとは別に該制御データを受信させるためのストローブ信号を出力し、該ストローブ信号によって前記表示制御手段が前記制御データを受信して前記表示手段における変動表示を制御する遊技機において、
前記遊技制御手段は、
一定の範囲内で定期的に乱数カウンタの値を更新する更新手段と、
遊技者の操作に応じて変化する遊技状況が所定の条件を満たした場合に前記乱数カウンタの値を読み出す読出手段と、
該読出手段により読み出した値が予め定めた値と一致する場合に特別遊技状態を発生させる特別遊技発生手段と、
複数の処理により構成されて定期的に開始される定期処理を実行する処理実行手段とを備え、
前記定期処理には、
前記表示制御手段に前記制御データを出力する制御データ出力手段と、
前記表示制御手段に前記ストローブ信号を出力するストローブ信号出力手段と、
所定の条件が成立した場合に前記ストローブ信号出力手段としての処理を行うことなく定期処理を進行させるストローブ信号出力回避手段とが設けられていることを特徴とする遊技機。
【請求項２】
前記ストローブ信号出力回避手段は、前記表示制御手段に前記制御データを送信しなくても図柄の変動が一定のパターンで行われる図柄の変動中に前記ストローブ信号出力手段としての処理を行うことなく定期処理を進行させるものであることを特徴とする請求項１記載の遊技機。
【手続補正２】
【補正対象書類名】明細書
【補正対象項目名】００１１
【補正方法】変更
【補正の内容】
【００１１】
【課題を解決するための手段】
上記の目的を達成するため、請求項１に記載の発明においては、
基板ボックス内に封印されると共に遊技の制御を行う遊技制御手段と、
少なくとも複数種類の図柄を表示画面に変動表示可能な表示手段と、
該表示手段を前記遊技制御手段により出力される制御データによって制御する表示制御手段とを備え、
前記遊技制御手段は、前記表示制御手段に前記制御データを出力するとともに、該制御データとは別に該制御データを受信させるためのストローブ信号を出力し、該ストローブ信号によって前記表示制御手段が前記制御データを受信して前記表示手段における変動表示を制御する遊技機において、
前記遊技制御手段は、
一定の範囲内で定期的に乱数カウンタの値を更新する更新手段と、
遊技者の操作に応じて変化する遊技状況が所定の条件を満たした場合に前記乱数カウンタの値を読み出す読出手段と、
該読出手段により読み出した値が予め定めた値と一致する場合に特別遊技状態を発生させる特別遊技発生手段と、
複数の処理により構成されて定期的に開始される定期処理を実行する処理実行手段とを備え、
前記定期処理には、
前記表示制御手段に前記制御データを出力する制御データ出力手段と、
前記表示制御手段に前記ストローブ信号を出力するストローブ信号出力手段と、
所定の条件が成立した場合に前記ストローブ信号出力手段としての処理を行うことなく定期処理を進行させるストローブ信号出力回避手段とが設けられていることをその要旨としている。
また、請求項２に記載の発明においては、請求項１記載の遊技機において、
前記ストローブ信号出力回避手段は、前記表示制御手段に前記制御データを送信しなくても図柄の変動が一定のパターンで行われる図柄の変動中に前記ストローブ信号出力手段としての処理を行うことなく定期処理を進行させるものであることをその要旨としている。
【手続補正３】
【補正対象書類名】明細書
【補正対象項目名】００１４
【補正方法】変更
【補正の内容】
【００１４】
（作用）
上記請求項１に記載の遊技機の遊技制御手段は、基板ボックス内に封印される。この状態で、該基板ボックス外に設けられる少なくとも複数種類の図柄を表示画面に変動表示可能な表示手段を制御する表示制御手段に対し、制御データが送信される。これとともに、制御データとは別に該制御データを受信させるためのストローブ信号が出力される。そして、これら両信号によって表示手段における変動表示が制御される。
【手続補正４】
【補正対象書類名】明細書
【補正対象項目名】００１５
【補正方法】変更
【補正の内容】
【００１５】
さて、本発明では、少なくとも前記ストローブ信号の送信が不定期的に行われる。特に、所定の条件が成立した場合にストローブ信号出力手段としての処理を行うことなく定期処理を進行させるストローブ信号出力回避手段が設けられている。このため、仮に、「ぶら下げ基板」が遊技制御手段及び表示制御手段間に不正に介設されたとしても、「ぶら下げ基板」内のカウンタが定期的に更新される限り、その「ぶら下げ基板」内において、リセットタイミング、ひいては特別遊技状態の発生等の遊技者にとって有利となるタイミングを把握することは著しく困難となる。
【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  複数本の中空糸膜を接着固定したカートリッジ型モジュールがラック式ハウジング内に挿入されて支持されるラック式濾過装置において、ラック式ハウジングのハウジング本体に連通する循環水流路が、ハウジング本体の外周に鉢巻き状に液密的に設けられたことを特徴とするラック式濾過装置。
【請求項２】  ハウジング本体に、径方向に複数の連通孔が形成され、循環水流路に、前記複数の連通孔を流通した循環水が集水されて、循環水口から流出するように構成されたことを特徴とする請求項１記載のラック式濾過装置。
【請求項３】  循環水流路の断面積が、循環水口に向かって大きくなるように構成されたことを特徴とする請求項１または２記載のラック式濾過装置。
【請求項４】  連通孔が、ハウジング本体長手方向に長径を有するスリット状形状をしていることを特徴とする請求項１、２または３記載のラック式濾過装置。
【請求項５】  循環水流路が、２分割の鋳物を溶接接合して形成されたことを特徴とする請求項１記載のラック式濾過装置。
【請求項６】  ラック式ハウジングが、複数個の連通孔を有した円筒状のハウジング本体と、これより一回り径の大きな円筒状外板を各々鋳造により製作した後、円周溶接により２個の鋳物を液密的に溶接接合して製作されたことを特徴とする請求項１記載のラック式濾過装置。
【請求項７】ラック式ハウジングのハウジング本体に連通する循環水流路が、ハウジング本体の外周に鉢巻き状に液密的に設けられたことを特徴とするラック式ハウジング。
【手続補正２】
【補正対象書類名】明細書
【補正対象項目名】０００６
【補正方法】変更
【補正の内容】
【０００６】
（３）循環水流路の断面積が、循環水口に向かって大きくなるように構成されたことを特徴とする（１）または（２）記載のラック式濾過装置。
（４）連通孔が、ハウジング本体長手方向に長径を有するスリット状形状をしていることを特徴とする（１）、（２）または（３）記載のラック式濾過装置。
（５）循環水流路が、２分割の鋳物を溶接接合して形成されたことを特徴とする（１）記載のラック式濾過装置。
（６）ラック式ハウジングが、複数個の連通孔を有した円筒状のハウジング本体と、これより一回り径の大きな円筒状外板を各々鋳造により製作した後、円周溶接により２個の鋳物を液密的に溶接接合して製作されたことを特徴とする（１）記載のラック式濾過装置。
（７）ラック式ハウジングのハウジング本体に連通する循環水流路が、ハウジング本体の外周に鉢巻き状に液密的に設けられたことを特徴とするラック式ハウジング。
【手続補正書】
【提出日】平成18年12月12日(2006.12.12)
【手続補正１】
【補正対象書類名】明細書
【補正対象項目名】０００２
【補正方法】変更
【補正の内容】
【０００２】
【従来の技術】
従来、エアゾール、粉剤、噴煙剤等の殺虫剤を使用した害虫防除方法や、外部からの電力供給によって発光する発光体を利用した害虫防除方法等が用いられている。例えば、発光体を利用した害虫防除方法においては、豆電球を発光させて、その光に誘引されてきた害虫を捕獲する方法等が知られている。光源としては豆電球の他に、白熱電球、蛍光灯等も用いられている。また、蓄光性蛍光物質を光源に用いた害虫防除方法もある。
【手続補正書】
【提出日】平成19年6月19日(2007.6.19)
【手続補正１】
【補正対象書類名】明細書
【補正対象項目名】特許請求の範囲
【補正方法】変更
【補正の内容】
【特許請求の範囲】
【請求項１】配列番号：１で表されるアミノ酸配列と同一もしくは実質的に同一のアミノ酸配列を有し、かつリボヌクレオチドレダクターゼ活性を有するタンパク質またはその塩。
【請求項２】請求項１記載のタンパク質の部分ペプチドまたはその塩。
【請求項３】請求項１記載のタンパク質または請求項２記載の部分ペプチドをコードする塩基配列を有するＤＮＡを含有するＤＮＡ。
【請求項４】配列番号：２で表される塩基配列を有する請求項３記載のＤＮＡ。
【請求項５】配列番号：１２で表される塩基配列を有する請求項３記載のＤＮＡ。
【請求項６】請求項３記載のＤＮＡを含有する組換えベクター。
【請求項７】請求項６記載の組換えベクターで形質転換された形質転換体。
【請求項８】請求項７記載の形質転換体を培養し、請求項１記載のタンパク質もしくはその塩または請求項２記載の部分ペプチドもしくはその塩を生成、蓄積せしめ、これを採取することを特徴とする請求項１記載のタンパク質もしくはその塩または請求項２記載の部分ペプチドもしくはその塩の製造方法。
【請求項９】請求項１記載のタンパク質もしくはその塩または請求項２記載の部分ペプチドもしくはその塩を含有してなる医薬。
【請求項１０】以下の（ａ）〜（ｃ）からなる群から選択されるタンパク質またはその塩を含有してなる医薬：
（ａ）配列番号：１で表されるアミノ酸配列を含有し、かつリボヌクオチドレダクターゼ活性を有するタンパク質；
（ｂ）配列番号：１で表されるアミノ酸配列に対して９０％以上の相同性を有するアミノ酸配列を含有し、かつリボヌクオチドレダクターゼ活性を有するタンパク質；および
（ｃ）配列番号：１で表されるアミノ酸配列中、１〜５個のアミノ酸が欠失したアミノ酸配列、付加したアミノ酸配列、置換されたアミノ酸配列またはそれらを組み合わせたアミノ酸配列を含有し、かつリボヌクレオチドレダクターゼ活性を有するタンパク質。
【請求項１１】癌の予防治療剤である請求項９または１０記載の医薬。
【請求項１２】請求項３記載のＤＮＡを含有してなる医薬。
【請求項１３】以下の（ａ）〜（ｃ）からなる群から選択されるＤＮＡを含有してなる医薬：
（ａ）配列番号：１で表されるアミノ酸配列を含有し、かつリボヌクオチドレダクターゼ活性を有するタンパク質をコードするＤＮＡ；
（ｂ）配列番号：１で表されるアミノ酸配列に対して９０％以上の相同性を有するアミノ酸配列を含有し、かつリボヌクオチドレダクターゼ活性を有するタンパク質をコードするＤＮＡ；および
（ｃ）配列番号：１で表されるアミノ酸配列中、１〜５個のアミノ酸が欠失したアミノ酸配列、付加したアミノ酸配列、置換されたアミノ酸配列またはそれらを組み合わせたアミノ酸配列を含有し、かつリボヌクレオチドレダクターゼ活性を有するタンパク質をコードするＤＮＡ。
【請求項１４】癌の予防治療剤である請求項１３記載の医薬。
【請求項１５】請求項１記載のタンパク質もしくはその塩または請求項２記載の部分ペプチドもしくはその塩に対する抗体。
【請求項１６】請求項１５記載の抗体を含有する診断剤。
【請求項１７】請求項１記載のタンパク質もしくはその塩または請求項２記載の部分ペプチドもしくはその塩を用いることを特徴とする請求項１記載のタンパク質またはその塩の酵素活性を阻害または活性化する化合物またはその塩のスクリーニング方法。
【請求項１８】以下の（ａ）〜（ｃ）からなる群から選択されるタンパク質またはその塩を用いることを特徴とする、以下の（ａ）〜（ｃ）からなる群から選択されるタンパク質またはその塩の酵素活性を阻害または活性化する化合物またはその塩のスクリーニング方法：
（ａ）配列番号：１で表されるアミノ酸配列を含有し、かつリボヌクオチドレダクターゼ活性を有するタンパク質；
（ｂ）配列番号：１で表されるアミノ酸配列に対して９０％以上の相同性を有するアミノ酸配列を含有し、かつリボヌクオチドレダクターゼ活性を有するタンパク質；および
（ｃ）配列番号：１で表されるアミノ酸配列中、１〜５個のアミノ酸が欠失したアミノ酸配列、付加したアミノ酸配列、置換されたアミノ酸配列またはそれらを組み合わせたアミノ酸配列を含有し、かつリボヌクレオチドレダクターゼ活性を有するタンパク質。
【請求項１９】請求項１記載のタンパク質もしくはその塩または請求項２記載の部分ペプチドもしくはその塩を含有する、請求項１記載のタンパク質またはその塩の酵素活性を阻害または活性化する化合物またはその塩のスクリーニング用キット。
【請求項２０】以下の（ａ）〜（ｃ）からなる群から選択されるタンパク質またはその塩を含有する、以下の（ａ）〜（ｃ）からなる群から選択されるタンパク質またはその塩の酵素活性を阻害または活性化する化合物またはその塩のスクリーニング用キット：
（ａ）配列番号：１で表されるアミノ酸配列を含有し、かつリボヌクオチドレダクターゼ活性を有するタンパク質；
（ｂ）配列番号：１で表されるアミノ酸配列に対して９０％以上の相同性を有するアミノ酸配列を含有し、かつリボヌクオチドレダクターゼ活性を有するタンパク質；および
（ｃ）配列番号：１で表されるアミノ酸配列中、１〜５個のアミノ酸が欠失したアミノ酸配列、付加したアミノ酸配列、置換されたアミノ酸配列またはそれらを組み合わせたアミノ酸配列を含有し、かつリボヌクレオチドレダクターゼ活性を有するタンパク質。
【請求項２１】以下の（ａ）〜（ｃ）からなる群から選択されるタンパク質またはその塩をリボヌクレオチドレダクターゼとして使用する方法：
（ａ）配列番号：１で表されるアミノ酸配列を含有し、かつリボヌクオチドレダクターゼ活性を有するタンパク質；
（ｂ）配列番号：１で表されるアミノ酸配列に対して９０％以上の相同性を有するアミノ酸配列を含有し、かつリボヌクオチドレダクターゼ活性を有するタンパク質；および
（ｃ）配列番号：１で表されるアミノ酸配列中、１〜５個のアミノ酸が欠失したアミノ酸配列、付加したアミノ酸配列、置換されたアミノ酸配列またはそれらを組み合わせたアミノ酸配列を含有し、かつリボヌクレオチドレダクターゼ活性を有するタンパク質。
【手続補正書】
【提出日】平成19年3月27日(2007.3.27)
【手続補正１】
【補正対象書類名】明細書
【補正対象項目名】発明の名称
【補正方法】変更
【補正の内容】
【発明の名称】眼科検査装置
【手続補正２】
【補正対象書類名】明細書
【補正対象項目名】特許請求の範囲
【補正方法】変更
【補正の内容】
【特許請求の範囲】
【請求項１】  被検眼を測定する測定手段と、
被検眼の角膜に指標光束を投影する指標投影手段と、
被検眼の瞳孔中心位置を検出する瞳孔中心位置検出手段と、
前記指標投影手段から投影した光束の角膜による反射光束から角膜反射指標像位置を検出する角膜反射指標像位置検出手段と、
前記測定手段と被検眼の角膜に指標光束を投影する前記指標投影手段と前記瞳孔中心位置検出手段と前記角膜反射指標像位置検出手段とを含む装置光学部を移動させるための駆動手段と、
前記瞳孔中心位置検出手段により検出された瞳孔中心位置と前記測定手段の光軸とが予め設定した許容領域内にある場合に前記角膜反射指標像位置検出手段により検出された前記角膜反射指標像の位置を中心とした領域を設定し、被検眼が雲霧状態のときの角膜反射指標像が前記領域内に入るように前記駆動手段を制御する制御手段と、を有することを特徴とする眼科検査装置。
【請求項２】  被検眼を測定する測定手段と、
被検眼の角膜に指標光束を投影する指標投影手段と、
被検眼の瞳孔中心位置を検出する瞳孔中心位置検出手段と、
前記指標投影手段から投影した光束の角膜による反射光束から角膜反射指標像位置を検出する角膜反射指標像位置検出手段と、
前記測定手段と前記指標投影手段と前記瞳孔中心位置検出手段と前記角膜反射指標像位置検出手段とを含む装置光学部を移動させるための駆動手段と、
前記瞳孔中心位置検出手段により検出された瞳孔中心位置と前記測定手段の光軸とが予め設定した許容領域内にある場合に前記角膜反射指標像位置検出手段により検出された前記角膜反射指標像の位置から求められる角膜頂点の位置を中心とした領域を設定し、被検眼が雲霧状態のときの前記角膜頂点が前記領域内に入るように前記駆動手段を制御する制御手段と、を有することを特徴とする眼科検査装置。
【請求項３】  被検眼の前眼部像を撮像する撮像手段と、前眼部像と共に前記領域を表示する表示手段とを有することを特徴とする請求項１又は２に記載の眼科検査装置。
【請求項４】  前記指標投影手段の光源は、前記測定手段の光源を用いることを特徴とする請求項１又は２に記載の眼科検査装置。
【請求項５】  前記瞳孔位置検出手段と前記角膜反射指標像位置検出手段は同一の撮像手段を用いることを特徴とする請求項１又は２に記載の眼科検査装置。
【手続補正３】
【補正対象書類名】明細書
【補正対象項目名】０００１
【補正方法】変更
【補正の内容】
【０００１】
【発明の属する技術分野】
本発明は、眼科医院等で行う眼科機器を用いた眼科検査装置に関するものである。
【手続補正４】
【補正対象書類名】明細書
【補正対象項目名】０００８
【補正方法】変更
【補正の内容】
【０００８】
本発明の目的は、上述の問題点を解消し、瞳孔中心と角膜中心とが偏心している被検眼においても、速やかに自動的に装置と被検眼との位置合わせを行うことができ、かつ被検眼の固有情報を測定するために必要な光束が瞳孔によってけられることなく、安定した測定ができる眼科検査装置を提供することにある。
【手続補正５】
【補正対象書類名】明細書
【補正対象項目名】０００９
【補正方法】変更
【補正の内容】
【０００９】
【課題を解決するための手段】
上記目的を達成するための本発明に係る眼科検査装置は、被検眼を測定する測定手段と、被検眼の角膜に指標光束を投影する指標投影手段と、被検眼の瞳孔中心位置を検出する瞳孔中心位置検出手段と、前記指標投影手段から投影した光束の角膜による反射光束から角膜反射指標像位置を検出する角膜反射指標像位置検出手段と、前記測定手段と被検眼の角膜に指標光束を投影する前記指標投影手段と前記瞳孔中心位置検出手段と前記角膜反射指標像位置検出手段とを含む装置光学部を移動させるための駆動手段と、前記瞳孔中心位置検出手段により検出された瞳孔中心位置と前記測定手段の光軸とが予め設定した許容領域内にある場合に前記角膜反射指標像位置検出手段により検出された前記角膜反射指標像の位置を中心とした領域を設定し、被検眼が雲霧状態のときの角膜反射指標像が前記領域内に入るように前記駆動手段を制御する制御手段と、を有することを特徴とする。
【手続補正６】
【補正対象書類名】明細書
【補正対象項目名】００１０
【補正方法】変更
【補正の内容】
【００１０】
また、本発明に係る眼科検査装置は、被検眼を測定する測定手段と、被検眼の角膜に指標光束を投影する指標投影手段と、被検眼の瞳孔中心位置を検出する瞳孔中心位置検出手段と、前記指標投影手段から投影した光束の角膜による反射光束から角膜反射指標像位置を検出する角膜反射指標像位置検出手段と、前記測定手段と前記指標投影手段と前記瞳孔中心位置検出手段と前記角膜反射指標像位置検出手段とを含む装置光学部を移動させるための駆動手段と、前記瞳孔中心位置検出手段により検出された瞳孔中心位置と前記測定手段の光軸とが予め設定した許容領域内にある場合に前記角膜反射指標像位置検出手段により検出された前記角膜反射指標像の位置から求められる角膜頂点の位置を中心とした領域を設定し、被検眼が雲霧状態のときの前記角膜頂点が前記領域内に入るように前記駆動手段を制御する制御手段と、を有することを特徴とする。
【手続補正７】
【補正対象書類名】明細書
【補正対象項目名】００４３
【補正方法】変更
【補正の内容】
【００４３】
【発明の効果】
以上説明したように本発明に係る眼科検査装置は、瞳孔中心に対する角膜頂点の偏心が大きい被検眼においても、被検眼瞳孔中心位置を検出し、駆動手段を制御して瞳孔中心位置と測定光軸とを略一致させ、同時に角膜頂点付近にある角膜反射指標像位置を検出して、角膜反射指標像位置を中心に位置合わせ許容領域を設定し、この位置合わせ許容領域内に角膜反射指標像が入るように駆動手段を制御するので、被検眼瞳孔中心と測定光軸が一致し、測定に必要な光束が瞳孔によってけられてしまうことがない。
【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  指標を被検眼に投影する投影手段と、前記指標の被検眼からリング絞りを介して得られたリング像を撮像する撮像手段と、該撮像手段で撮像した前記リング像を複数のマスクに分けるマスク手段と、前記マスクの長辺に対して垂直方向の線上の画素データに基づいて濃度中心を演算する演算手段と、該演算手段の結果により得られた前記各マスクから得た濃度中心演算値を楕円近似する演算手段とを有することを特徴とする眼科装置。
【請求項２】  前記マスクは多角形とした請求項１に記載の眼科装置。
【請求項３】  前記楕円近似は前記濃度中心演算値を最小二乗法による演算によって行う請求項１に記載の眼科装置。
【手続補正２】
【補正対象書類名】明細書
【補正対象項目名】０００５
【補正方法】変更
【補正の内容】
【０００５】
【課題を解決するための手段】
上記目的を達成するための本発明に係る眼科装置は、指標を被検眼に投影する投影手段と、前記指標の被検眼からリング絞りを介して得られたリング像を撮像する撮像手段と、該撮像手段で撮像した前記リング像を複数のマスクに分けるマスク手段と、前記マスクの長辺に対して垂直方向の線上の画素データに基づいて濃度中心を演算する演算手段と、該演算手段の結果により得られた前記各マスクから得た濃度中心演算値を楕円近似する演算手段とを有することを特徴とする。
【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】  仮想３次元空間でのオブジェクトを表示する表示手段と、
遊戯者が操作して信号を入力する、少なくとも二つの入力方向を有する操作手段と、
前記操作手段の操作状態を判別する操作状態判別手段と、
前記仮想３次元空間に配置されるオブジェクトを生成して前記表示手段に出力する画像処理制御手段と、
前記オブジェクトの動作を視覚的に表す複数のコマ画像を含むアニメーションデータを記憶しているアニメーションデータ記憶手段と、
前記アニメーションデータに基づいて前記オブジェクトのコマ画像を表示部に連続出力することにより前記オブジェクトの動画像を前記表示手段に表示させるアニメーション再生制御手段と、
予め記憶された複数の音楽再生データを再生可能な音響手段と、
前記音楽再生データを選択する選択手段と、
前記アニメーションデータを再生するときの総動作時間が設定された基準ＢＰＭを記憶する基準ＢＰＭ記憶手段と、
前記選択手段で選択された音楽再生データに含まれるＢＰＭ（ビート・パー・ミニッツ）の情報と、前記基準ＢＰＭとに基づいて、選択された音楽再生データに含まれるＢＰＭに適合する総動作時間を得る動作時間演算部と、
前記総動作時間演算部により得られた総動作時間と、前記アニメーションデータとに基づいて、当該選択された音楽再生データと同期するように、前記アニメーション再生制御手段を制御して前記オブジェクトのアニメーションを再生させる同期制御手段と、を有し、
前記操作状態判別手段の判別結果に基づいて、
前記操作手段において操作信号の入力がない場合には、前記同期制御手段が、当該選択された音楽再生データと同期するように、前記アニメーション再生制御手段を制御して前記オブジェクトのアニメーションを再生させ、
前記操作手段において操作信号が入力された場合には、該操作手段からの入力信号に基づき、前記アニメーションデータから所定のコマ画像を選択して、前記操作手段の入力方向に応じた順序で前記オブジェクトの動画像を再生表示させる
ことを特徴とする音楽ゲーム装置。
【請求項２】  前記視覚的変化制御手段は、基準となるＢＰＭに基づくアニメーションの視覚的変化を制御し、前記同期制御手段は、この基準となるＢＰＭと異なるＢＰＭの場合に、以下の式に基づいて時間軸を変化させることで、全てのＢＰＭとの相対関係を一致させることを特徴とする請求項１記載の音楽ゲーム装置。
ｔs＝（ＢＰＭt／ＢＰＭb）×ｔ0・・・（１）
ｔs   ：同期がとられた後のアニメーションの視覚的変化総時間
ＢＰＭt：選択されたＢＰＭ値
ＢＰＭb：基準となるＢＰＭ値
ｔ0   ：基準ＢＰＭでのアニメーションの視覚的変化総時間
【請求項３】  遊戯者が正逆方向に回転操作可能な操作盤と、前記操作盤の回転操作に応じて、前記再生音楽とは異なる効果音を出力させる効果音出力制御手段と、前記表示手段に前記効果音を出力するタイミングを示す指標を表示するタイミング指標表示制御手段と、をさらに備えたことを特徴とする請求項１又は請求項２記載の音楽ゲーム装置。
【請求項４】  前記操作盤の回転操作方向及び操作量を検出する回転操作状態検出手段をさらに備え、前期回転操作状態検出手段の検出結果に基づいて、前記ＢＰＭに基づいて制御される、予め定められた一連の視覚的変化とは無関係の特定のキャラクタの動作が正逆自在に再生される、ことを特徴とする請求項３に記載の音楽ゲーム装置。
【請求項５】  前記操作盤が、前記ＢＰＭを変化させる操作手段としての機能を有していることを特徴とする請求項３または４に記載の音楽ゲーム装置。
【請求項６】  前記操作盤が２個設けられ、かつ２個の操作盤の一方又は両方の操作を有効とするように、遊戯者が設定操作可能な操作設定手段フェーダーが設けられていることを特徴とする請求項３乃至請求項５の何れか１項記載の音楽ゲーム装置。
【請求項７】  前記背景オブジェクトの視覚的変化は、再生速度ないしは色変化のタイミング等のエフェクト動作である請求項１乃至６の何れか１項に記載の音楽ゲーム装置。
【請求項８】  仮想３次元空間でのオブジェクトを表示するとともに、予め定められた所定のアニメーションプログラムに基づいて前記オブジェクトを視覚的に変化するように制御し、
予め記憶された複数の音楽再生データのいずれかを選択し、該選択した音楽再生データを再生し、
前記選択された音楽再生データに含まれるＢＰＭ（ビート・パー・ミニッツ）の情報に基づき、遊戯者が操作部から操作信号を入力していない場合に、当該選択された音楽再生データと同期するように前記オブジェクトの視覚的変化を制御する一方、
前記操作部から操作信号が入力された場合に、前記オブジェクトの前記音楽再生データとの同期を外し、当該オブジェクトの視覚的態様を当該操作部からの操作信号に予め定められた順番で順次変化させるためのモーション情報を読み出して再生することにより当該オブジェクトの視覚的態様を変化させる
動画像再生方法。
【請求項９】  仮想３次元空間でのオブジェクトを表示する表示手段と、
遊戯者が操作して信号を入力する、少なくとも二つの入力方向を有する操作部と、
予め定められた所定のアニメーションプログラムに基づいて、前記オブジェクトを視覚的に変化するように制御する視覚的変化制御手段と、
予め記憶された複数の音楽再生データを再生可能な音響手段と、
前記音楽再生データを選択する選択手段と、
前記選択手段で選択された音楽再生データに含まれるＢＰＭ（ビート・パー・ミニッツ）の情報に基づいて、前記視覚的変化制御手段を制御して、前記操作部において操作信号の入力がない場合に当該選択された音楽再生データと同期するように、前記オブジェクトの視覚的変化を制御する同期制御手段と、
前記オブジェクトに関するアニメーションデータを記憶しているアニメーションデータ記憶部と、
該アニメーションデータ記憶部から前記アニメーションデータを取り込み、動作時間を補正し、当該アニメーションデータを再生アニメーションデータバッファへと送り出す動作時間補正部と、
を有するゲーム装置としてコンピュータを機能させる動画像処理方法。
【手続補正書】
【提出日】平成18年12月15日(2006.12.15)
【手続補正１】
【補正対象書類名】明細書
【補正対象項目名】００２８
【補正方法】変更
【補正の内容】
【００２８】
回転軸１１の軸端部には金属板３１の各透孔３１ａと一致する複数の貫通孔３９ａを有したフランジ３９ｄ及び回転軸１１の軸端部に挿嵌される中空部を有し、該中空部を外部に連通させる透孔３９ｂを有したボス部３９ｃからなる軸固定部材３９を固定する。
【手続補正２】
【補正対象書類名】明細書
【補正対象項目名】００２９
【補正方法】変更
【補正の内容】
【００２９】
そして旋回アーム１５における基端部の貫通孔３５から導出したケーブル３７を、軸固定部材３９の透孔３９ｂを介して導出された状態で軸固定部材３９の貫通孔３９ａに挿入されたタッピングねじ４１を金属板３１の各透孔３１ａに打ち込んでねじ止めした後、該軸固定部材３９のボス部３９ｃを回転軸１１に挿嵌固定して旋回アーム１５を回転軸１１に固定する。
【手続補正３】
【補正対象書類名】図面
【補正対象項目名】図６
【補正方法】変更
【補正の内容】
【図６】
2001269971.tif 000001
【手続補正４】
【補正対象書類名】図面
【補正対象項目名】図７
【補正方法】変更
【補正の内容】
【図７】
2001269971.tif 000002
【手続補正書】
【提出日】平成19年8月29日(2007.8.29)
【手続補正１】
【補正対象書類名】特許請求の範囲
【補正対象項目名】請求項３
【補正方法】変更
【補正の内容】
【請求項３】
上記合皮シート形成用樹脂組成物を、シボを形成した離型紙の表面に０．１〜２．０ｍｍの厚さでコーティングすると共に、コーティング層の表面に基布を重ね合わせ、上記離型紙をコーティング層から剥がしたのちにコーティング層を加熱・架橋してなる合皮シート。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
少なくとも、水、水溶性有機溶剤及び着色剤を含む水性インクであって、上記水溶性有機溶剤として、ビスヒドロキシエチルスルフォンと、炭素数５以上のジオール及び炭素数５以上のトリオールの少なくとも一方とを含有することを特徴とするインクジェット用インク。
【請求項２】
前記ビスヒドロキシエチルスルフォンの含有量と、炭素数５以上のジオール又はトリオールの含有量との比率が、質量基準で、１：１０〜１００：１である請求項１に記載のインクジェット用インク。
【請求項３】
前記インクが、更にエチレングリコール及びグリセリンの少なくとも一方を含有し、
該インク全質量に対する、ビスヒドロキシエチルスルフォン、炭素数５以上のジオール及び炭素数５以上のトリオールの総量の割合Ｘが１５質量％以上３０質量％以下であり、且つ該総量の割合Ｘと該インク全質量に対するエチレングリコール及びグリセリンの量の割合Ｙ（質量％）が０＜Ｙ／Ｘ≦０．９を満足する請求項１又は２に記載のインクジェット用インク。
【請求項４】
前記ジオール及びトリオールが１，５−ペンタンジオール、１，６−ヘキサンジオール、１，７−ヘプタンジオール及び１，２，６−ヘキサントリオールからなる群より選択される請求項１〜３の何れか１項に記載のインクジェット用インク。
【請求項５】
請求項１〜４の何れか１項に記載のインクを収納しているインク収納部を有していることを特徴とするインクタンク。
【請求項６】
請求項１〜４の何れか１項に記載のインクを吐出させるためのインクジェット記録ヘッドを有していることを特徴とする記録ユニット。
【請求項７】
請求項１〜４の何れか１項に記載のインクを吐出させるためのインクジェット記録ヘッドを有していることを特徴とするインクジェット記録装置。
【請求項８】
請求項１〜４の何れか１項に記載のインクをインクジェット法で被記録媒体に吐出する工程を有することを特徴とするインクジェット記録方法。
【手続補正書】
【提出日】平成19年9月25日(2007.9.25)
【手続補正１】
【補正対象書類名】明細書
【補正対象項目名】発明の名称
【補正方法】変更
【補正の内容】
【発明の名称】バナジウムスパッタリングターゲット、このスパッタリングターゲットを用いて形成された被膜ならびにこの被膜を具備する金型、工具および部品
【手続補正２】
【補正対象書類名】特許請求の範囲
【補正対象項目名】全文
【補正方法】変更
【補正の内容】
【特許請求の範囲】
【請求項１】
バナジウムスパッタリングターゲットにおいて、ターゲット表面の（１１０）面の結晶方位比率が７０％以上であり、（２００）面の結晶方位比率が２０％以下であり、かつ（２１１）面の結晶方位比率が２０％以下であることを特徴とする、スパッタリングターゲット。
【請求項２】
ターゲット全体の（１１０）面の結晶方位比率のバラツキが３０％以内、（２００）面の結晶方位比率のバラツキが５０％以内、かつ（２１１）面の結晶方位比率のバラツキが５０％以内である、請求項１に記載のスパッタリングターゲット。
【請求項３】
ガス含有雰囲気中でスパッタリングを行って金属表面に硬質窒化被膜を形成させるものである、請求項１または２に記載のスパッタリングターゲット。
【請求項４】
真空蒸着法、スパッタリング法またはイオンプレーティング法に用いられる、請求項１〜３のいずれか１項に記載のスパッタリングターゲット。
【請求項５】
請求項１ないし請求項４のいずれか１項に記載のスパッタリングターゲットを用いて形成されたことを特徴とする、被膜。
【請求項６】
請求項１ないし請求項４のいずれか１項に記載のスパッタリングターゲットを用いて形成された被膜を具備することを特徴とする、金型。
【請求項７】
請求項１ないし請求項４のいずれか１項に記載のスパッタリングターゲットを用いて形成された被膜を具備することを特徴とする、工具。
【請求項８】
請求項１ないし請求項４のいずれか１項に記載のスパッタリングターゲットを用いて形成された被膜を具備することを特徴とする、部品。
【手続補正３】
【補正対象書類名】明細書
【補正対象項目名】０００１
【補正方法】変更
【補正の内容】
【０００１】
本発明は、スパッタリングターゲット、特に硬質被膜形成に適したバナジウムスパッタリングターゲット、に関するものである。さらに、本発明は、このスパッタリングターゲットを用いて形成された被膜ならびにこの被膜を具備する金型、工具および部品に関するものである。
【手続補正４】
【補正対象書類名】明細書
【補正対象項目名】００１４
【補正方法】変更
【補正の内容】
【００１４】
このような本発明によるスパッタリングターゲットは、好ましい態様として、真空蒸着法、スパッタリング法またはイオンプレーティング法に用いられるもの、を包含する。
そして、本発明による被膜は、上記のスパッタリングターゲットを用いて形成されたことを特徴とするもの、である。
そして、本発明による金型は、上記のスパッタリングターゲットを用いて形成された被膜を具備することを特徴とするもの、である。
そして、本発明による工具は、上記のスパッタリングターゲットを用いて形成された被膜を具備することを特徴とするもの、である。
そして、本発明による部品は、上記のスパッタリングターゲットを用いて形成された被膜を具備することを特徴とするもの、である。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
支持管に挿通したホースの先端に吐水具が接続され、前記支持管と前記吐水具の端部が着脱自在であり、前記支持管と前記吐水具のいずれか一方には、前記ホースと同軸方向に突出した筒状の突出部を、他方には、突出部外周に係合する筒状の係合部を備えた吐水装置であって、前記係合部には突起状の板ばねを、前記突出部外周には溝部を、有し、前記係合部が前記突出部外周に係合する際に、前記突起状の板ばねが前記溝部に係止することを特徴とする吐水装置。
【請求項２】
前記突出部の外周端面部と、前記外周端面部と接続される前記係合部の端面接続部のいずれか一方には凹部、他方には凸部を備えたことを特徴とする請求項１記載の吐水装置。
【請求項３】
前記突出部の外周端面部、又は、前記外周端面部と接続される前記係合部の端面接続部に、Oリングを備え、前記外周端面部と前記端面接続部が弾接したことを特徴とする請求項１記載の吐水装置。
【請求項４】
支持管に挿通したホースの先端に吐水具が接続され、前記支持管と前記吐水具の端部が着脱自在であり、前記支持管と前記吐水具のいずれか一方には、前記ホースと同軸方向に突出した筒状の突出部を、他方には、突出部外周に係合する筒状の係合部を備えた吐水装置であって、前記係合部にはその外周面上に係止されたＣ字型の板ばねによって弾接保持されて内周面から僅かに内側に突出した鋼球を、前記突出部外周には溝部を、有し、前記係合部が前記突出部外周に係合する際に、前記鋼球が前記溝部に係止することを特徴とする吐水装置。
【手続補正２】
【補正対象書類名】明細書
【補正対象項目名】０００７
【補正方法】変更
【補正の内容】
【０００７】
上記目的を達成するために請求項１記載の発明は、支持管に挿通したホースの先端に吐水具が接続され、前記支持管と前記吐水具の端部が着脱自在であり、前記支持管と前記吐水具のいずれか一方には、前記ホースと同軸方向に突出した筒状の突出部を、他方には、突出部外周に係合する筒状の係合部を備えた吐水装置であって、前記係合部には突起状の板ばねを、前記突出部外周には溝部を、有し、前記係合部が前記突出部外周に係合する際に、前記突起状の板ばねが前記溝部に係止することである。  
これにより、板ばねが突出部外周の溝部に着脱自在に弾接する構造とすることにより、支持管に吐水具を確実に保持することができる。
【手続補正３】
【補正対象書類名】明細書
【補正対象項目名】００１０
【補正方法】変更
【補正の内容】
【００１０】
上記目的を達成するために請求項４記載の発明は、支持管に挿通したホースの先端に吐水具が接続され、前記支持管と前記吐水具の端部が着脱自在であり、前記支持管と前記吐水具のいずれか一方には、前記ホースと同軸方向に突出した筒状の突出部を、他方には、突出部外周に係合する筒状の係合部を備えた吐水装置であって、前記係合部にはその外周面上に係止されたＣ字型の板ばねによって弾接保持されて内周面から僅かに内側に突出した鋼球を、前記突出部外周には溝部を、有し、前記係合部が前記突出部外周に係合する際に、前記鋼球が前記溝部に係止することを特徴とする。  
これにより、板ばねによって弾接保持された鋼球が突出部外周の溝部に着脱自在に弾接する構造とすることにより、支持管に吐水具を確実に保持することができる。
【手続補正４】
【補正対象書類名】明細書
【補正対象項目名】００２２
【補正方法】変更
【補正の内容】
【００２２】
以上のように、吐水具３１と支持管３２の着脱機構に樹脂の弾性力ではなく板ばね４８による嵌合形態をとると、吐水具３１の着脱操作力は板ばね４８の弾性係数の調整により簡単に変えることができる。図７は、吐水インナー８１に板ばねの代わりに弾性部８２を樹脂で一体的に成形した場合の参考例である。